(57)【要約】【課題】後から形成する開口を特殊な定着金物を用いることなく補強シートによって補強することができる開口の補強構造を提供する。【解決手段】開口の補強構造は、架構１４内に設けられた補強壁１６と、補強壁１６に形成され、少なくとも一辺が架構１４に面する開口２０と、開口２０の周囲と架構１４との間に設けられた空隙２２と、開口２０の周囲に定着され、空隙２２に挿通されるとともに折返されて補強壁１６の裏面まで延設された補強シート３０と、を有する。【選択図】図１
2019078101.tif 000002
【特許請求の範囲】
【請求項１】
架構内に設けられた補強壁と、
前記補強壁に形成され、少なくとも一辺が前記架構に面する開口と、
前記開口の周囲と前記架構との間に設けられた空隙と、
前記開口の周囲に定着され、前記空隙に挿通されるとともに折返されて前記補強壁の裏面まで延設された補強シートと、
を有する開口の補強構造。
【請求項２】
前記空隙は、前記開口の周囲と前記架構との間に設けられ、アンカーで前記架構に固定された定着プレートによって画成されている、請求項１に記載の開口の補強構造。
【請求項３】
前記補強シートが挿通された前記空隙には、充填材が充填されている、請求項１又は２に記載の開口の補強構造。
【発明の詳細な説明】
【技術分野】
【０００１】
本発明は、補強壁に形成された開口の補強構造に関する。
【背景技術】
【０００２】
構造物の改修に伴いＲＣ（鉄筋コンクリート）造の壁に後から開口を形成する場合の開口補強として、開口の周囲を斫って開口の周囲に開口補強筋を配筋した後、開口の周囲にコンクリートを打設する方法が知られている。しかし、この方法では、工期や現場の状況により、開口の周囲に開口補強筋を配筋することができない場合がある。
【０００３】
一方、例えば特許文献１には、強化繊維シート（補強シート）を壁に定着させて開口を補強する方法が開示されている。この方法は、施工性がよく、有用な方法であるが、一般的に、開口の周囲に強化繊維シート（補強シート）の定着長を十分に確保する必要がある。このため、開口の一辺が周辺の架構に接する場合には、強化繊維シート（補強シート）を架構に定着させるために特殊な定着金物等が必要であった。
【先行技術文献】
【特許文献】
【０００４】
【特許文献１】特開２０００−１４５１６０号公報
【発明の概要】
【発明が解決しようとする課題】
【０００５】
本発明は上記事実に鑑み、後から形成する開口を特殊な定着金物を用いることなく補強シートによって補強することができる開口の補強構造を提供することを目的とする。
【課題を解決するための手段】
【０００６】
請求項１に記載の開口の補強構造は、架構内に設けられた補強壁と、前記補強壁に形成され、少なくとも一辺が前記架構に面する開口と、前記開口の周囲と前記架構との間に設けられた空隙と、前記開口の周囲に定着され、前記空隙に挿通されるとともに折返されて前記補強壁の裏面まで延設された補強シートと、を有する。
【０００７】
上記構成によれば、補強壁に形成された開口の周囲と架構との間に空隙が設けられているため、補強シートを空隙に挿通し、折返して補強壁の裏面まで延設させることで、補強シートの定着長を確保することができる。
【０００８】
請求項２に記載の開口の補強構造は、請求項１に記載の開口の補強構造であって、前記空隙は、前記開口の周囲と前記架構との間に設けられ、アンカーで前記架構に固定された定着プレートによって画成されている。
【０００９】
上記構成によれば、アンカーで架構に固定された定着プレートによって空隙が画成されているため、空隙を定着プレートで補強することができるとともに、空隙に挿通される補強シートに作用する引張力を周囲の架構に伝達することができる。
【００１０】
請求項３に記載の開口の補強構造は、請求項１又は２に記載の開口の補強構造であって、前記補強シートが挿通された前記空隙には、充填材が充填されている。
【００１１】
上記構成によれば、補強シートが挿通された空隙に充填材が充填されているため、補強シートの定着強度をより高めることができる。また、補強壁の開口の周囲に圧縮力が生じた場合に、圧縮力を架構に伝達することができる。
【発明の効果】
【００１２】
本発明によれば、後から形成する開口を特殊な定着金物を用いることなく補強シートによって補強することができる。
【図面の簡単な説明】
【００１３】
【図１】第１実施形態における開口の補強構造を示す立面図である。
【図２】（Ａ）は開口の周囲に設けられた空隙の拡大図であり、（Ｂ）はそのＡ−Ａ線断面図である。
【図３】（Ａ）〜（Ｃ）は開口の補強手順を示す工程図（その１）である。
【図４】（Ａ）〜（Ｃ）は開口の補強手順を示す工程図（その１に続くその２）である。
【図５】第２実施形態における開口の補強構造を示す立面図である。
【発明を実施するための形態】
【００１４】
＜第１実施形態＞
以下、本発明の第１実施形態における開口の補強構造について、図１〜図４を用いて説明する。
【００１５】
（補強構造）
図１に示すように、本実施形態では、格子状に接合された一対（図１における左右）の柱１０と一対（図１における上下）の梁１２とによって架構１４が構築されている。また、架構１４の構面内には、図示しない鉄筋が埋設されたＲＣ（鉄筋コンクリート）造の補強壁１６が設けられており、梁１２上には床スラブ１８が設けられている。
【００１６】
また、補強壁１６には、補強壁１６を厚さ方向に貫通するとともに、一辺が架構１４に面する開口２０が後から形成されている。具体的には、開口２０は略四角形状とされており、下辺２０Ａが、梁１２上に設けられた床スラブ１８に接している。すなわち、床スラブ１８が開口２０の一辺を区画している。
【００１７】
さらに、開口２０の周囲と架構１４との間、すなわち開口２０の下辺２０Ａの両脇には、補強壁１６を厚さ方向に貫通する空隙２２がそれぞれ設けられている。具体的には、図２（Ａ）及び図２（Ｂ）に示すように、補強壁１６における開口２０の下辺２０Ａの両脇部分に、空隙２２を画成する定着プレート２４がそれぞれ埋設されている。
【００１８】
定着プレート２４は、金属製の板状のプレート本体２４Ａと、プレート本体２４Ａの両端部の下面に接合された一対の脚部材２４Ｂとで構成された断面コの字型の部材であり、床スラブ１８上に載置されることで、床スラブ１８の上面との間に空隙２２を画成している。
【００１９】
また、定着プレート２４の両端部、すなわち一対の脚部材２４Ｂが接合されている部分には、複数（本実施形態では２つずつ）の貫通孔２６が形成されている。そして、貫通孔２６に挿通されて床スラブ１８及び梁１２に打設されたアンカー２８によって、定着プレート２４が架構１４に固定されている。
【００２０】
さらに、図１に示すように、開口２０の周囲には、例えば炭素繊維シートからなる補強シート３０が定着されている。補強シート３０は、開口２０の下辺２０Ａ以外の三辺に沿って補強壁１６の表面及び裏面の両面にそれぞれ接着されている。
【００２１】
ここで、開口２０の左右の辺に沿って設けられた補強シート３０は、一端（上端）が開口２０の上辺より上部まで延び、かつ他端（下端）が、図２（Ｂ）に示すように、空隙２２に挿通されて折返され、補強壁１６の裏面まで延設されている。なお、補強壁１６の裏面に延設された補強シート３０の他端は、そのまま開口２０の上辺より上部まで延びている。
【００２２】
一方、図１に示すように、開口２０の上辺に沿って設けられた補強シート３０は、開口２０の左右の辺に沿って設けられた補強シート３０の一端（上端）とラップするように左右に延びている。なお、本実施形態では、開口２０の三辺にそれぞれ１枚（単層）の補強シート３０が定着されていたが、複数枚の補強シート３０が重ねられて定着されていてもよい。
【００２３】
（補強手順）
以下、開口２０の周囲を補強シート３０で補強する際の手順について説明する。まず、図３（Ａ）に示すように、既存の補強壁１６を斫り、下辺２０Ａが床スラブ１８に接する開口２０を後から形成する。このとき、補強壁１６に埋設された図示しない鉄筋は切断する。
【００２４】
次に、図３（Ｂ）に示すように、補強壁１６における開口２０の下辺２０Ａの両脇を斫り、アンカー打設用の空間３２を形成する。なお、空間３２は、図２（Ａ）に示すアンカー２８を打設して定着プレート２４を設置することができる大きさとされている。その後、図３（Ｃ）に示すように、空間３２内において、床スラブ１８及び梁１２に複数のアンカー２８を打設する。
【００２５】
次に、図４（Ａ）に示すように、空間３２内において、アンカー２８の上部から定着プレート２４を落とし込み、図２（Ａ）に示す定着プレート２４の貫通孔２６にアンカー２８を挿通する。これにより、定着プレート２４と床スラブ１８の上面とによって空隙２２を画成する。その後、図４（Ｂ）に示すように、定着プレート２４の上部の空間３２にコンクリートを打設して、補強壁１６に定着プレート２４及びアンカー２８を埋設する。
【００２６】
そして、図４（Ｃ）に示すように、空隙２２に補強シート３０を挿通し、開口２０の周囲に補強シート３０を定着させる。また、補強シート３０の定着後、補強シート３０が挿通された空隙２２にモルタル等の充填材３４を充填して空隙２２を塞ぐ。
【００２７】
上記の手順により、補強壁１６に形成された開口２０の周囲を、補強シート３０で補強する。なお、上記の手順は一例であり、手順が前後したり、他の手順が含まれたりしても構わない。
【００２８】
（作用及び効果）
本実施形態によれば、補強壁１６に形成された開口２０の周囲と架構１４との間に空隙２２が設けられている。このため、開口２０の周囲を補強シート３０で補強する場合に、補強シート３０を空隙２２に挿通し、折返して補強壁１６の裏面まで延設させることで、補強シート３０の定着長を確保することができる。
【００２９】
これにより、特殊な定着金物等を用いることなく開口２０の周囲に補強シート３０の定着長を十分に確保することができる。また、開口２０の周囲を開口補強筋等で補強する構成と比較して、開口補強筋の配筋作業等が不要であるため、施工性を高めることができる。
【００３０】
また、本実施形態によれば、アンカー２８で架構１４に固定された定着プレート２４によって空隙２２が画成されている。このため、補強壁１６に空隙２２を直接形成する構成と比較して、空隙２２を定着プレート２４で補強することができる。また、空隙２２に補強シート３０を挿通した際に、補強シート３０に作用する引張力を定着プレート２４及びアンカー２８によって周囲の架構１４に伝達することができる。
【００３１】
さらに、本実施形態によれば、空隙２２に補強シート３０を挿通した後、充填材３４が充填されることによって空隙２２が塞がれるため、補強シート３０の定着強度をより高めることができる。また、空隙２２が塞がれているため、地震時等に補強壁１６の開口２０の周囲に圧縮力が生じた場合に、圧縮力を架構１４に伝達することができる。
【００３２】
＜第２実施形態＞
次に、本発明の第２実施形態における開口の補強構造について、図５を用いて説明する。なお、第１実施形態と同様の構成については、同じ符号を付して説明を省略する。
【００３３】
（補強構造）
図５に示すように、本実施形態では、第１実施形態と同様に、架構１４内に設けられた補強壁１６に開口４０が形成されている。また、開口４０の下辺４０Ａは床スラブ１８に接しており、下辺４０Ａの両脇には、空隙４２がそれぞれ形成されている。
【００３４】
ここで、第１実施形態では、断面コの字型の定着プレート２４によって空隙２２がそれぞれ画成されていたのに対し、本実施形態では、１つの定着プレート４４によって一対の空隙４２が形成されている。
【００３５】
具体的には、定着プレート４４は、上方に開口する第１凹部４４Ａと、第１凹部４４Ａの両側に設けられ、下方に開口する一対の第２凹部４４Ｂとを有している。そして、定着プレート４４の第１凹部４４Ａを開口４０の下辺４０Ａ、第２凹部４４Ｂを下辺４０Ａの両脇にそれぞれ位置させることで、第２凹部４４Ｂと床スラブ１８の上面とによって空隙４２を画成している。
【００３６】
定着プレート４４の両端部、すなわち第２凹部４４Ｂより外側部分には、貫通孔４６Ａがそれぞれ形成されている。また、定着プレート４４の第１凹部４４Ａにおける開口４０の左右の辺に近い部分にも、複数の貫通孔４６Ｂが形成されている。そして、貫通孔４６Ａ、４６Ｂに挿通されて床スラブ１８及び梁１２に打設されたアンカー４８によって、定着プレート４４が架構１４に固定されている。
【００３７】
また、第１実施形態と同様に、開口４０の周囲には補強シート５０が定着されており、開口４０の左右の辺に沿って設けられた補強シート５０は、一端（上端）が開口４０の上辺より上部まで延び、かつ他端（下端）が、空隙４２に挿通されて折返され、補強壁１６の裏面まで延設されている。
【００３８】
（補強手順）
開口４０の周囲を補強シート５０で補強する場合、第１実施形態と同様に、既存の補強壁１６に開口４０を形成し、補強壁１６における開口４０の下辺４０Ａの両脇に図示しないアンカー打設用の空間を形成する。
【００３９】
そして、空間内及び開口４０の下辺４０Ａにおいて、床スラブ１８及び梁１２に複数のアンカー４８を打設し、アンカー４８の上部から定着プレート４４を落とし込み、定着プレート４４の貫通孔４６Ａ、４６Ｂにアンカー４８を挿通する。
【００４０】
その後、アンカー打設用の空間をコンクリートによって埋戻し、補強壁１６に定着プレート４４の一部を埋設する。そして、空隙４２に補強シート５０を挿通し、開口４０の周囲に補強シート５０を定着させる。また、補強シート５０の定着後、補強シート５０が挿通された空隙４２に図示しない充填材を充填して空隙４２を塞ぐ。
【００４１】
（作用及び効果）
本実施形態によれば、開口４０の下辺４０Ａの両脇に形成された一対の空隙４２を、１つの定着プレート４４によって画成することができる。このため、一対の空隙２２を一対の定着プレート２４によってそれぞれ画成する構成と比較して、定着プレート４４の設置作業が容易となる。
【００４２】
また、本実施形態によれば、定着プレート４４の第１凹部４４Ａが開口４０の下辺４０Ａに位置しており、アンカー４８によって定着プレート４４の両端部及び第１凹部４４Ａが架構１４に固定されている。このため、開口４０の左右の辺と補強シート５０との間にアンカー４８を打設する必要がなく、第１実施形態と比較して、補強シート５０を開口４０の縁により近づけることができる。
【００４３】
＜その他の実施形態＞
以上、本発明について第１、第２実施形態を説明したが、本発明はかかる実施形態に限定されるものではなく、本発明の範囲内にて他の種々の実施形態が可能である。また、第１、第２実施形態の構成は適宜組み合わせることが可能である。
【００４４】
例えば、第１、第２実施形態では、開口２０、４０の下辺２０Ａ、４０Ａが床スラブ１８を介して架構１４の下部の梁１２に面していた。しかし、開口２０、４０は少なくとも一辺が架構１４に面していればよく、開口２０、４０の上辺や左右の辺が上部の梁１２や左右の柱１０に接していてもよい。
【００４５】
また、第１、第２実施形態では、アンカー２８、４８が床スラブ１８及び梁１２に打設されていた。しかし、開口２０、４０が左右の柱１０に接する場合や、アンカー２８、４８の下部に梁１２が無い場合等、アンカー２８、４８の打設長さが十分に確保できない場合には、柱１０、床スラブ１８を貫通したアンカー２８、４８の端部を図示しないプレート及びナットで固定する構成としてもよい。
【００４６】
また、第１実施形態では、定着プレート２４が断面コの字型とされ、定着プレート２４と床スラブ１８の上面とによって空隙２２が画成されていたが、定着プレートを例えば断面ロの字型とし、定着プレートのみで空隙を画成してもよい。
【００４７】
さらに、第１実施形態では、補強壁１６の表面に定着された補強シート３０が空隙２２で折返されて補強壁１６の裏面の上部まで延設されていた。しかし、補強壁１６の表面に定着されて空隙２２で折返された補強シート３０と、補強壁１６の裏面に定着されて空隙２２で折返された補強シート３０とが、空隙２２部分でラップする構成とされていてもよい。
【符号の説明】
【００４８】
１４          架構
１６          補強壁
２０、４０    開口
２２、４２    空隙
２４、４４    定着プレート
２８、４８    アンカー
３０、５０    補強シート
３４          充填材
【図１】
2019078101.tif 000003
【図２】
2019078101.tif 000004
【図３】
2019078101.tif 000005
【図４】
2019078101.tif 000006
【図５】
2019078101.tif 000007